(57)【要約】【課題】安価で生産性を低下することなく、安定したインペラとファンケースの間の気密性を確保することができる電動送風機を提供すること。【解決手段】電動機２の軸２ａに取付けられた遠心型のインペラ３の吸込み口３ａ部に同心円筒状のベロー部４を設け、前記ベロー部４の内径面４ａ及び外径面４ｂに空隙ｄｉ、ｄｏをもって対面する凹部円筒状のラビリンスシール部７を設けたファンケース６とし、インペラ３のべロー部４と対面するファンケース６のラビリンスシール部７との間の内径側、並びに外径側空隙寸法をｄｉ、ｄｏとし、ラビリンスシール部のベロー部に対面する内径面側有効長をｌｉ、外径面側有効長をｌｏとした場合に、ラビリンスシール係数ｋがｋ＝（ｌｉ／ｄｉ＋ｌｏ／ｄｏ）を満足する構成である。【選択図】図２
2012140922.tif 000002
【特許請求の範囲】
【請求項１】
電動機要素の回転軸によって駆動される遠心ファンのインペラと、このインペラと電動機要素との間に配置されるエアガイドと、前記インペラと前記エアガイドとを覆うファンケースとを具備する電動送風機において、前記インペラの吸気口の吸気側の内周端部から吸気側に向かって延設されたベロー部を有し、このベロー部は略円筒形状であり前記回転軸の中心軸に対して同心の円筒状の内径面及び円筒状の外径面を備え、さらに前記ファンケースの吸気口部には前記ベロー部の内径面及び前記ベロー部の外径面の少なくとも一部と対向する延設部を備え、前記インペラのベロー部と前記ファンケースの延設部との対向部には僅かな空隙を有したラビリンスシール部が構成され、このラビリンスシール部の空隙の開口部が電動送風機の排気側のみに配置される構成を具備する電動送風機。
【請求項２】
請求項１記載の電動送風機において、インペラと、このインペラのベロー部とが一体の構成部であり、前記インペラと、前記ベロー部との境界部に接続面を有しない構成を具備する電動送風機。
【請求項３】
請求項１記載の電動送風機において、インペラと、このインペラのベロー部とが一体の構成部であり、前記インペラと、前記ベロー部との境界部に接続面を有する構成を具備する電動送風機。
【請求項４】
請求項１記載の電動送風機において、ファンケースと、このファンケースの延設部とが一体の構成部であり、前記ファンケースと、前記延設部との境界部に接続面を有しない構成を具備する電動送風機。
【請求項５】
請求項１記載の電動送風機において、ファンケースと、このファンケースの延設部とが一体の構成部であり、前記ファンケースと、前記延設部との境界部に接続面を有する構成を具備する電動送風機。
【請求項６】
請求項１から請求項５のいずれかに記載の電動送風機において、
インペラのべロー部と対面するファンケースの延設部とからなるラビリンスシール部の内径側空隙をｄｉとし、ラビリンスシール部の外径側空隙をｄｏとし、ラビリンスシール部のベロー部に対面する内径面側有効長をｌｉとし、ラビリンスシール部のベロー部に対面する外径面側有効長をｌｏとし、
ここでラビリンスシール係数ｋを、ｋ＝（ｌｉ／ｄｉ＋ｌｏ／ｄｏ）とするときに、
ラビリンスシール係数ｋが、ラビリンスシール係数ｋの上限値と、ラビリンスシール係数ｋの下限値との間に設定される構成であり、ラビリンスシール係数ｋの下限値が１０であり、ラビリンスシール係数ｋの上限値が３５である電動送風機。
【請求項７】
請求項１から請求項５のいずれかに記載の電動送風機において、
インペラのべロー部と対面するファンケースの延設部とからなるラビリンスシール部の内径側空隙をｄｉとし、ラビリンスシール部の外径側空隙をｄｏとし、ラビリンスシール部のベロー部に対面する内径面側有効長をｌｉとし、ラビリンスシール部のベロー部に対面する外径面側有効長をｌｏとし、
ここでラビリンスシール係数ｋを、ｋ＝（ｌｉ／ｄｉ＋ｌｏ／ｄｏ）とするときに、
ラビリンスシール係数ｋが、ラビリンスシール係数ｋの上限値と、ラビリンスシール係数ｋの下限値との間に設定される構成であり、ラビリンスシール係数ｋの下限値が１２であり、ラビリンスシール係数ｋの上限値が３３である電動送風機。
【請求項８】
請求項１から請求項５のいずれかに記載の電動送風機において、
インペラのべロー部と対面するファンケースの延設部とからなるラビリンスシール部の内径側空隙をｄｉとし、ラビリンスシール部の外径側空隙をｄｏとし、ラビリンスシール部のベロー部に対面する内径面側有効長をｌｉとし、ラビリンスシール部のベロー部に対面する外径面側有効長をｌｏとし、
ここでラビリンスシール係数ｋを、ｋ＝（ｌｉ／ｄｉ＋ｌｏ／ｄｏ）とするときに、
ラビリンスシール係数ｋが、ラビリンスシール係数ｋの上限値と、ラビリンスシール係数ｋの下限値との間に設定される構成であり、ラビリンスシール係数ｋの下限値が１６であり、ラビリンスシール係数ｋの上限値が３０である電動送風機。
【請求項９】
請求項１から請求項５のいずれかに記載の電動送風機において、
インペラのべロー部と対面するファンケースの延設部とからなるラビリンスシール部の内径側空隙をｄｉとし、ラビリンスシール部の外径側空隙をｄｏとし、ラビリンスシール部のベロー部に対面する内径面側有効長をｌｉとし、ラビリンスシール部のベロー部に対面する外径面側有効長をｌｏとし、
ここでラビリンスシール係数ｋを、ｋ＝（ｌｉ／ｄｉ＋ｌｏ／ｄｏ）とするときに、
ラビリンスシール係数ｋが、ラビリンスシール係数ｋの上限値と、ラビリンスシール係数ｋの下限値との間に設定される構成であり、ラビリンスシール係数ｋの下限値が２１であり、ラビリンスシール係数ｋの上限値が２７である電動送風機。
【請求項１０】
請求項１から請求項５のいずれかに記載の電動送風機において、
インペラのべロー部と対面するファンケースの延設部とからなるラビリンスシール部の内径側空隙をｄｉとし、ラビリンスシール部の外径側空隙をｄｏとし、ラビリンスシール部のベロー部に対面する内径面側有効長をｌｉとし、ラビリンスシール部のベロー部に対面する外径面側有効長をｌｏとし、
ここでラビリンスシール係数ｋを、ｋ＝（ｌｉ／ｄｉ＋ｌｏ／ｄｏ）とするときに、
ラビリンスシール係数ｋが、ラビリンスシール係数ｋの上限値と、ラビリンスシール係数ｋの下限値との間に設定される構成であり、ラビリンスシール係数ｋの下限値が２１であり、ラビリンスシール係数ｋの上限値が２４である電動送風機。
【請求項１１】
請求項１から請求項５のいずれかに記載の電動送風機において、
インペラのべロー部と対面するファンケースの延設部とからなるラビリンスシール部の内径側空隙をｄｉとし、ラビリンスシール部の外径側空隙をｄｏとし、ラビリンスシール部のベロー部に対面する内径面側有効長をｌｉとし、ラビリンスシール部のベロー部に対面する外径面側有効長をｌｏとし、
ここでラビリンスシール係数ｋを、ｋ＝（ｌｉ／ｄｉ＋ｌｏ／ｄｏ）とするときに、
ラビリンスシール係数ｋが、ラビリンスシール係数ｋの上限値と、ラビリンスシール係数ｋの下限値との間に設定される構成であり、ラビリンスシール係数ｋの下限値が１６であり、ラビリンスシール係数ｋの上限値が２１である電動送風機。
【請求項１２】
請求項１から請求項１１のいずれかに記載の電動送風機を有する電気掃除機。
【発明の詳細な説明】
【技術分野】
【０００１】
本発明は、電気掃除機等に使用される電動送風機に関する。
【背景技術】
【０００２】
近年、使用用途として代表的な電気掃除機に使用される電動送風機は、高出力競争の高まりの中で、高効率の要望が強くなっている。その中で電動送風機の遠心ファンのインペラより吐出された空気がインペラとファンケースの間の空隙を経由してインペラの入口部に戻ってくる空気の漏れの低減が重要な課題の一つとなっていた。
【０００３】
この空気漏れを低減させるために、インペラの内径側でインペラと接触摺動するシール部材を設ける技術が提案されている。例えば、特許文献１などが知られている。
【０００４】
また、インペラの先端をファンケースに設けた摺導部材に当接させる技術が提案されている。例えば特許文献２や特許文献３などが知られている。
【０００５】
また、インペラの吸気口部分の板材の厚みを部分的に増し、この板材の厚みを増した肉厚部分に凹状の溝部を設け、電動送風機のファンカバーの吸気口端部をこの凹状の溝部に組み合わせるようにてラビリンス構造を具備したものも提案されている。例えば、特許文献４などが知られている。
【特許文献１】特開平１０−７３０９３号公報
【特許文献２】特開平５−７６１５３号公報
【特許文献３】特開平８−６８３９２号公報
【特許文献４】特開２０００−１５４７９７号公報
【発明の概要】
【発明が解決しようとする課題】
【０００６】
しかしながら、特許文献１に見られるような従来の技術では、ファンカバーの吸気孔部に変形かつ切削可能なシール部材を具備させ、遠心ファンの吸気口縁部を前記シール部材に当接させ、遠心ファンの回転によりシール部材を切削することにより気密性を確保する構成であるために、切削時に発生する切削粉が電動機内部に侵入し、整流に好ましくないなどの課題があった。
【０００７】
また、気密性に関しても、遠心ファンとファンカバーの気密性を確保する為の接触部が線接触の構成であったために、ファンカバーの吸気口が塞がれたに等しいような高真空条件下では、遠心ファンの負圧力によりファンカバーが遠心ファン側に過大に変形し、シール部材をより深く切削してしまうことになり、通常の動作状態に移行した際にはシール部材と遠心ファンの接触部により大きな隙間が生じたり、シール部材が樹脂系材料であるために熱疲労や経時的寸法変化により、気密性の低下や、初期性能の経時的変化も課題とされていた。
【０００８】
また、遠心ファンとシール部材が接触摺動することによって、摩擦ロスが生じることから電動送風機の効率の低下を招くという課題もあった。
【０００９】
さらには、気密性を確保する為にシール部材が不可欠であり、シール部材の固定方法を含めて部品点数が多くなり、コストが高くなってしまうという製造的課題もあった。
【００１０】
一方、特許文献３においては、上述の課題を改善すべくファンケーススペーサなるシール部材と回転ファンを回転ファンの半径方向において当接・切削させる構成とし、高真空条件下でのファンケースの変形においても回転ファンとファンケーススペーサの間のラビリンス寸法を一定に確保できるというものであるが、依然として切削粉の侵入やファンケーススペーサの寸法変化、電動送風機の効率低下、更にはファンケーススペーサの追加によるコスト高という製造的課題を依然として有していた。
【００１１】
その課題解決としては、シール部材やファンケーススペーサを使用しないファンケースを使用する方策が提案されるが、気密性確保のため回転ファンとファンケースを近接させる必要があるが、回転ファンがファンケースに接触した際には金属同士の接触・摩擦によって不快な異音が発生することになり、これを回避するために近接・接触させない寸法構造を採用せざる得なく、性能の向上にも限界があった。
【００１２】
また、電動送風機の吸気口部分に、特許文献４のようなラビリンス構造を設けるには、製造技術に過度の負担増加や、採算性低下が著しく、またラビリンス構造の隙間が電動送風機の吸気口側に位置することから、ラビリンス構造の隙間へのダスト吸引や、ダストによる摩擦増加や、極端なケースでは、ダスト吸引によるラビリンス構造の機械疲労など生じることもあり、解決すべき新たな課題を有するものであった。
【００１３】
したがって、本件出願の発明が解決しようとする課題は、従来の電動送風機の構造に起因する上述の課題を解消した電動送風機を提供することである。
【課題を解決するための手段】
【００１４】
上記従来の課題を解決するために、本件出願に係る第１の発明は、電動機要素の回転軸によって駆動される遠心ファンのインペラと、このインペラと電動機要素との間に配置されるエアガイドと、前記インペラと前記エアガイドとを覆うファンケースとを具備する電動送風機において、前記インペラの吸気口の吸気側の内周端部から吸気側に向かって延設されたベロー部を有し、このベロー部は略円筒形状であり前記回転軸の中心軸に対して同心の円筒状の内径面及び円筒状の外径面を備え、さらに前記ファンケースの吸気口部には前記ベロー部の内径面及び前記ベロー部の外径面の少なくとも一部と対向する延設部を備え、前記インペラのベロー部と前記ファンケースの延設部との対向部には僅かな空隙を有したラビリンスシール部が構成され、このラビリンスシール部の空隙の開口部が電動送風機の排気側のみに配置される構成を具備する電動送風機である。
【００１５】
また、本件出願に係る第２の発明は、第１の発明において、インペラと、このインペラのベロー部とが一体の構成部であり、前記インペラと、前記ベロー部との境界部に接続面を有しない構成を具備する電動送風機である。
【００１６】
また、本件出願に係る第３の発明は、第１の発明において、インペラと、このインペラのベロー部とが一体の構成部であり、前記インペラと、前記ベロー部との境界部に接続面を有する構成を具備する電動送風機である。
【００１７】
また、本件出願に係る第４の発明は、第１の発明において、ファンケースと、このファンケースの延設部とが一体の構成部であり、前記ファンケースと、前記延設部との境界部に接続面を有しない構成を具備する電動送風機である。
【００１８】
また、本件出願に係る第５の発明は、第１の発明において、ファンケースと、このファンケースの延設部とが一体の構成部であり、前記ファンケースと、前記延設部との境界部に接続面を有する構成を具備する電動送風機である。
【００１９】
また、本件出願に係る第６の発明は、第１から第５の発明において、インペラのべロー部と対面するファンケースの延設部とからなるラビリンスシール部の内径側空隙をｄｉとし、ラビリンスシール部の外径側空隙をｄｏとし、ラビリンスシール部のベロー部に対面する内径面側有効長をｌｉとし、ラビリンスシール部のベロー部に対面する外径面側有効長をｌｏとし、
ここでラビリンスシール係数ｋを、ｋ＝（ｌｉ／ｄｉ＋ｌｏ／ｄｏ）とするときに、
ラビリンスシール係数ｋが、ラビリンスシール係数ｋの上限値と、ラビリンスシール係数ｋの下限値との間に設定される構成であり、ラビリンスシール係数ｋの下限値が１０であり、ラビリンスシール係数ｋの上限値が３５の電動送風機である。
【００２０】
また、本件出願に係る第７の発明は、第１から第５の発明において、
インペラのべロー部と対面するファンケースの延設部とからなるラビリンスシール部の内径側空隙をｄｉとし、ラビリンスシール部の外径側空隙をｄｏとし、ラビリンスシール部のベロー部に対面する内径面側有効長をｌｉとし、ラビリンスシール部のベロー部に対面する外径面側有効長をｌｏとし、
ここでラビリンスシール係数ｋを、ｋ＝（ｌｉ／ｄｉ＋ｌｏ／ｄｏ）とするときに、
ラビリンスシール係数ｋが、ラビリンスシール係数ｋの上限値と、ラビリンスシール係数ｋの下限値との間に設定される構成であり、ラビリンスシール係数ｋの下限値が１２であり、ラビリンスシール係数ｋの上限値が３３の電動送風機である。
【００２１】
また、本件出願に係る第８の発明は、第１から第５の発明において、
インペラのべロー部と対面するファンケースの延設部とからなるラビリンスシール部の内径側空隙をｄｉとし、ラビリンスシール部の外径側空隙をｄｏとし、ラビリンスシール部のベロー部に対面する内径面側有効長をｌｉとし、ラビリンスシール部のベロー部に対面する外径面側有効長をｌｏとし、
ここでラビリンスシール係数ｋを、ｋ＝（ｌｉ／ｄｉ＋ｌｏ／ｄｏ）とするときに、
ラビリンスシール係数ｋが、ラビリンスシール係数ｋの上限値と、ラビリンスシール係数ｋの下限値との間に設定される構成であり、ラビリンスシール係数ｋの下限値が１６であり、ラビリンスシール係数ｋの上限値が３０の電動送風機である。
【００２２】
また、本件出願に係る第９の発明は、第１から第５の発明において、
インペラのべロー部と対面するファンケースの延設部とからなるラビリンスシール部の内径側空隙をｄｉとし、ラビリンスシール部の外径側空隙をｄｏとし、ラビリンスシール部のベロー部に対面する内径面側有効長をｌｉとし、ラビリンスシール部のベロー部に対面する外径面側有効長をｌｏとし、
ここでラビリンスシール係数ｋを、ｋ＝（ｌｉ／ｄｉ＋ｌｏ／ｄｏ）とするときに、
ラビリンスシール係数ｋが、ラビリンスシール係数ｋの上限値と、ラビリンスシール係数ｋの下限値との間に設定される構成であり、ラビリンスシール係数ｋの下限値が２１であり、ラビリンスシール係数ｋの上限値が２７の電動送風機である。
【００２３】
また、本件出願に係る第１０の発明は、第１から第５の発明において、
インペラのべロー部と対面するファンケースの延設部とからなるラビリンスシール部の内径側空隙をｄｉとし、ラビリンスシール部の外径側空隙をｄｏとし、ラビリンスシール部のベロー部に対面する内径面側有効長をｌｉとし、ラビリンスシール部のベロー部に対面する外径面側有効長をｌｏとし、
ここでラビリンスシール係数ｋを、ｋ＝（ｌｉ／ｄｉ＋ｌｏ／ｄｏ）とするときに、
ラビリンスシール係数ｋが、ラビリンスシール係数ｋの上限値と、ラビリンスシール係数ｋの下限値との間に設定される構成であり、ラビリンスシール係数ｋの下限値が２１であり、ラビリンスシール係数ｋの上限値が２４の電動送風機である。
【００２４】
また、本件出願に係る第１１の発明は、第１から第５の発明において、
インペラのべロー部と対面するファンケースの延設部とからなるラビリンスシール部の内径側空隙をｄｉとし、ラビリンスシール部の外径側空隙をｄｏとし、ラビリンスシール部のベロー部に対面する内径面側有効長をｌｉとし、ラビリンスシール部のベロー部に対面する外径面側有効長をｌｏとし、
ここでラビリンスシール係数ｋを、ｋ＝（ｌｉ／ｄｉ＋ｌｏ／ｄｏ）とするときに、
ラビリンスシール係数ｋが、ラビリンスシール係数ｋの上限値と、ラビリンスシール係数ｋの下限値との間に設定される構成であり、ラビリンスシール係数ｋの下限値が１６であり、ラビリンスシール係数ｋの上限値が２１の電動送風機である。
【００２５】
また、本件出願に係る第１２の発明は、第１から第１１の発明の電動送風機を有する電気掃除機である。
【発明の効果】
【００２６】
従来例においては、インペラとファンケースの機密性を確保する為の接触部が線接触で形成していたのに対して、本発明では、インペラ及びファンケースの構成について、インペラのベロー部とファンケースのラビリンスシール部との間の内径側空隙部ｄｉ、外径側空隙部ｄｏをそれぞれｌｉ、ｌｏの有効寸法として確保することにより、空隙部を面で構成することができる。
【００２７】
また、本発明では、空隙部を面で構成することにより、線で形成していた従来の構成に比べて、空隙部をリークする際の空気の通過抵抗を空気の粘性効果により向上させることができる。
【００２８】
したがって、空隙部の通過抵抗が高くなることによりリークする漏れ量が減少し、気密性を向上させることが出来ることとなる。
【００２９】
また、本発明はインペラとファンケースは空隙部を有して対向しているものの非接触の状態であるため、摩擦ロスによる効率低下もなく、高真空条件下におけるファンケースの変形が発生したとしても空隙部の寸法に影響を与えることがないため、空隙部の寸法が変化することもなく安定した気密性を確保することができる。
【００３０】
さらには、従来例において不可欠であった樹脂系材料によるシール部材が不要となるため、熱時及び経時的寸法変化もなく、安定した気密性確保することができる。
【００３１】
また、シール部材を採用しない構成とすることにより、組立が容易となり、しかも部品点数を大幅に削減することができるため、より安価な電動送風機を得ることができる。
【図面の簡単な説明】
【００３２】
【図１】本発明の実施例１における電動送風機の一部断面の側面図
【図２】本発明の実施例１におけるインペラとファンケースの相対位置関係を示す詳細拡大図
【図３】本発明の実施例１におけるインペラのベロー部を示す拡大図
【図４】本発明の実施例１におけるファンケースのラビリンスシール部を示す拡大図
【図５】本発明の実施例１における発明効果を検証したグラフ
【図６】本発明の実施例２におけるインペラのベロー部を示す拡大図
【図７】本発明の実施例２におけるファンケースのラビリンスシール部を示す拡大図
【発明を実施するための形態】
【００３３】
以下本発明を実施するための形態を、図面を参照しながら説明する。
【実施例１】
【００３４】
本発明の第１の実施例の形態について、図面に基づいて説明する。図１は、本発明の第１の実施形態に係わる電動送風機１の外観図ならびに一部断面の正面図である。図２は、本発明のインペラ３のベロー部４とファンケース６のラビリンスシール部７の組込時における相対位置関係を示す詳細拡大図である。図３、並びに図４は、本発明のインペラ３のベロー部４とファンケース６のラビリンスシール部７の詳細を示す拡大図である。
【００３５】
電動機２の軸２ａには、吸込み口３ａに同心円筒状のベロー部４を有するインペラ３が固定されている。インペラ３と電動機２の間にはエアガイド５が設置してあり、前記インペラ３とエアガイド５を覆うようにファンケース６が電動機２に圧入固定してある。ファンケース６の中央部の吸気口６ａには、前記インペラ３のベロー部４の内径面４ａ、及び外径面４ｂにそれぞれの空隙ｄｉ、ｄｏをもって対面するラビリンスシール部７を有している。
【００３６】
電動機２の高速回転（一般的に２５，０００ｒ／ｍｉｎ〜５０，０００ｒ／ｍｉｎ）により発生した吸込風は、ファンケース６の中央部の吸気口６ａから吸い込まれ、インペラ３の吸込み口３ａを通って、インペラ３内部に導かれる。インペラ３の高速回転により、吸込風は高速・高圧の風量Ｑに変換され、エアガイド５を経由して電動機２の内部に導かれ、電動機２を冷却しながら風穴格子２ｂより排出される。
【００３７】
ここで、インペラ３の高速遠心ファンの作用で発生したインペラの内外径の圧力差により、インペラ３の外径より吐出された高速・高圧の風量Ｑの一部Ｑ（ｌｅａｋ）がインペラ３とファンケース６の隙間を通って吸込み口３ａへ還流する現象が発生する。
【００３８】
しかしながら、本発明はインペラ３の吸込み口３ａに設けた同心円筒状のベロー部４と、ファンケース６の中央部の吸気口６ａに、インペラ３のベロー部４の内径面４ａ、及び外径面４ｂに対向した内径面側に空隙ｄｉを有する有効長ｌｉと外径面側には空隙ｄｏを有する有効長ｌｏをもつラビリンスシール部７を有したことにより、高速・高圧の風量Ｑの一部Ｑ（ｌｅａｋ）がインペラ３の吸込み口３ａへ還流する現象が制限されることとなる。
【００３９】
図５のグラフは、このラビリンス構造の効果を電動送風機の空気性能によって比較・検証したグラフである。このグラフにおいて、ラビリンス構造の指標として、以下の算出式（式１）で求めたラビリンス係数ｋを用いている。
ｋ  ＝（ｌｉ／ｄｉ  ＋  ｌｏ／ｄｏ）・・・・（式１）
グラフの条件としては、本発明の主な技術分野である電気掃除機等に使用される遠心型のインペラを有する電動送風機においては、使用回転数が２５，０００ｒ／ｍｉｎ〜５０，０００ｒ／ｍｉｎ程度であり、インペラの外径寸法はφ８０ｍｍ〜φ１２０ｍｍで設計されることが一般的となっており、このグラフもこれらの使用条件をもとに検証した結果である。図５のグラフでは、ラビリンス係数ｋに対する生産性のデータのプロット線と、ラビリンス係数ｋに対する電動送風機の効率低下のデータのプロット線とを示している。
【００４０】
このグラフからもラビリンス係数ｋが大きくなるにつれて、還流する漏れ量Ｑ（ｌｅａｋ）が小さくなり、その結果として性能が改善できていることが確認できた。一方でラビリンス係数ｋを大きくするためは、インペラ３のベロー部４とファンケース６のラビリンスシール部７の真円度、円筒度、同軸度などの精度確保が必要となり、生産性の低下やコストアップの要因となる。
【００４１】
本発明においては、ラビリンス係数ｋを
１０＜ｋ＜３５
の範囲とすることで、大幅な生産性の低下やコストアップすることなく、効果的に気密性を確保することができる電動送風機を得ることができる。
【００４２】
上記では、ラビリンスシール係数ｋの下限値が１０であり、ラビリンス係数ｋの上限値が３５であったが、ラビリンス係数ｋは、つぎの範囲群からを選択しても有用である。例えば、ラビリンス係数ｋの下限値が１２であり、ラビリンス係数ｋの上限値が３３でもよい。また、ラビリンス係数ｋの下限値が１６であり、ラビリンス係数ｋの上限値が３０でもよい。また、ラビリンス係数ｋの下限値が２１であり、ラビリンス係数ｋの上限値が２７でもよい。また、ラビリンス係数ｋの下限値が２１であり、ラビリンス係数ｋの上限値が２４でもよい。また、ラビリンス係数ｋの下限値が１６であり、ラビリンス係数ｋの上限値が２１でもよい。なお、これらは、ラビリンス係数ｋの一例として図５のグラフに示しているが、電動送風機の効率低下と生産性の兼ね合いから任意の範囲を適宜選択できることは言うまでもない。
【００４３】
上述のとおり、本発明の構成では、ベロー部はインペラ３の吸気口３ａの内周部の吸気側に具備された略円筒形状の構成物であり、このベロー部は、回転軸に対して同心の円筒状の内径面及び円筒状の外径面を有する。そして、ファンケースの吸気口部には、このベロー部の内径面及び外径面の少なくとも一部と対向するようにファンケースの延設部を具備する。インペラのベロー部と、ファンケースの延設部との対向面には僅かな空隙を有したラビリンスシール部が構成される。このラビリンスシール部の開口部は電動送風機の排気側のみに配置される。このラビリンスシール部の開口部の排気側のみの配置によって、ラビリンスシール部の開口部のダスト吸引などを避ける効果があり有用である。ダストそのものによる摩擦増加による機械損失や、ダスト吸引に起因するラビリンスシール部の過度の変形や、この変形による摩擦増加や不具合を抑制できる。
【実施例２】
【００４４】
本発明の実施例２の形態について図６、及び図７を用いて説明する。図６において、インペラ８のベロー部９は、インペラ８と異なる部品より構成されている。図７においては、ファンケース１０のラビリンスシール部１１も、ファンケース１０と異なる部品より構成されたものである。ベロー部９とラビリンスシール部１１を個別の部品とすることにより、真円度、円筒度の寸法確保が容易となり、ラビリンス係数ｋをより大きくすることが可能となり、気密性の更なる改善が可能となる。
【符号の説明】
【００４５】
１  電動送風機
２  電動機
３  インペラ
３ａ  吸込み口
４  ベロー部
５  エアガイド
６  ファンケース
６ａ  吸気口
７  ラビリンスシール部
ｄｉ、ｄｏ  空隙
ｌｉ、ｌｏ  空隙の有効長
【図１】
2012140922.tif 000003
【図２】
2012140922.tif 000004
【図３】
2012140922.tif 000005
【図４】
2012140922.tif 000006
【図５】
2012140922.tif 000007
【図６】
2012140922.tif 000008
【図７】
2012140922.tif 000009